(57)【特許請求の範囲】
【請求項１】
燃料を貯蔵するタンクと、前記タンクから燃料を吸引吐出するポンプと、前記ポンプによって供給される燃料を気化させる気化部と、前記気化部を加熱するヒータと、前記気化部の温度を検出する気化部温度検出手段と、気化ガスを噴出するノズルと、前記ノズルを通電時に閉塞し通電停止時に開放するとともに燃焼中及び燃焼停止中に通電停止状態とする電磁ソレノイドと、前記気化ガスを燃焼させるバーナ部と、前記バーナ部で生じた燃焼排ガスを導く燃焼筒と、前記燃焼筒を覆い前記燃焼ガスと送風機からの空気流とを混合し温風とするダクトと、操作部からの信号で前記ポンプや前記電磁ソレノイドを制御して燃焼を制御する制御部と、前記操作部に配設し非燃焼時に気化部温度を所定の温度に保持するための動作信号を入力する予熱待機待ち入力手段とを備え、前記制御部は予熱待機待ち入力手段より信号が入力されたときに作動する第１タイマー手段を有するとともに、燃焼停止中のノズル開放状態において前記予熱待機待ち入力手段より信号が入力されたときは、前記第１タイマー手段を介して前記電磁ソレノイドに所定時間通電してノズルを閉塞するとともに前記気化部温度を燃焼時の温度より低い温度に設定した予熱待機待ち温度になるようにヒータを通電制御して予熱を開始し、前記第１タイマー手段の設定時間が経過すると前記電磁ソレノイドの通電を停止して前記ノズルを開放状態として予熱動作を継続するように構成した燃焼装置。
【請求項２】
制御部は予熱待機待ち入力手段より信号が入力されたときに作動する第１タイマー手段と第２タイマー手段を有し、かつ気化部の温度を制御するための第１所定温度と第２所定温度を有し、燃焼停止中のノズル開放状態において前記予熱待機待ち入力手段より信号が入力されたときは、前記第１タイマー手段を介して電磁ソレノイドに所定時間通電してノズルを閉塞するとともに、前記第２タイマー手段を介して前記気化部温度を第２所定温度になるようにヒータを通電制御して予熱を開始し、前記第２タイマー手段で設定された所定時間経過後、第１所定温度になるようにヒータを通電制御するとともに、前記第１タイマー手段の設定時間が経過すると前記電磁ソレノイドの通電を停止して前記ノズルを開放状態として予熱動作を継続するように構成した請求項１記載の燃焼装置。
【請求項３】
第２所定温度は、燃焼時の温度より高い温度に設定して構成した請求項２記載の燃焼装置。
【請求項４】
燃料を貯蔵するタンクと、前記タンクから燃料を吸引吐出するポンプと、前記ポンプによって供給される燃料を気化させる気化部と、前記気化部を加熱するヒータと、前記気化部の温度を検出する気化部温度検出手段と、気化ガスを噴出するノズルと、前記ノズルを通電時に閉塞し通電停止時に開放するとともに燃焼中及び燃焼停止中に通電停止状態とする電磁ソレノイドと、前記気化ガスを燃焼させるバーナ部と、前記バーナ部で生じた燃焼排ガスを導く燃焼筒と、前記燃焼筒を覆い前記燃焼ガスと送風機からの空気流とを混合し温風とするダクトと、操作部からの信号で前記ポンプや前記電磁ソレノイドを制御して燃焼を制御する制御部と、前記操作部に配設し非燃焼時に気化部温度を所定の温度に保持するための動作信号を入力する予熱待機待ち入力手段とを備え、前記制御部は予熱待機待ち入力手段より信号が入力されたときに作動する第１タイマー手段と第３タイマー手段を有し、燃焼停止中のノズル開放状態において前記予熱待機待ち入力手段より信号が入力されたときは、前記第１タイマー手段を介して電磁ソレノイドに所定時間通電してノズルを閉塞し、前記第３タイマー手段を介して送風機に所定時間通電して送風するとともに、前記気化部温度を燃焼時の温度より低い温度に設定した予熱待機待ち温度になるようにヒータを通電制御して予熱を開始し、前記第１タイマー手段の設定時間が経過すると前記電磁ソレノイドの通電を停止して前記ノズルを開放状態として予熱動作を継続するように構成した燃焼装置。
【発明の詳細な説明】
【０００１】
【発明の属する技術分野】
本発明は液体燃料を気化させ、この気化ガスをノズルから噴出させて燃焼させる燃焼装置に関するものである。
【０００２】
【従来の技術】
従来この種の温風暖房機は図７、図８に示すように、タンク３５の燃料はポンプ３６によって気化部３７に供給される。気化部３７は燃焼時に温度検出手段３８によりその温度が検出され、ヒータ３９を制御することによって所定温度以上に保つようになっている。そして供給された燃料は、気化部３７内の気化室４０内に設けられた気化素子４１で気化されて気化ガスとなって気化室４０内で高圧となり、ノズル４２より噴出し、バーナ部４３へ供給され、そこで燃焼される。生じた燃焼排ガスは、バーナ部４３の周囲を覆うように配設された燃焼筒４４で上方へ導かれ、燃焼筒４４を覆ったダクト４５で送風機４６からの室内空気流と混合し、温風として排出されて暖房に利用される。また、これら一連の動作は制御部（図示せず）で、ポンプ３６や電磁ソレノイド４７などの運転条件を制御して燃焼を制御するようになっている。
【０００３】
また、気化室４０の燃料気化ガスを噴出するノズル４２は、電磁ソレノイド４７の可動部に接続されたニードル弁４８で開閉され、電磁ソレノイド４７に通電したときにそのニードル弁４８でノズル４２を閉塞し通電停止時に開放するようになっていて、燃焼の開始及び停止時の一時的に閉塞され、燃焼中及び運転停止は開放されている。
【０００４】
そして制御部は、非燃焼時に予熱待機待ち信号が入力されると、気化部３７の温度を通常の制御温度より低い温度に設定した予熱待機待ち温度になるように温度検出手段３８によりヒータ３９の通電を制御し、気化部３７を予熱して、次回の運転開始時における燃焼開始時間を短縮するようにしている。
【０００５】
【発明が解決しようとする課題】
しかしながらこのような従来の構成の温風暖房機は、非燃焼時の電磁ソレノイド４７の通電停止時のノズル４２開放時に、予熱待機待ち信号が入力されて、気化部３７を昇温する予熱待機待ちとすると、気化室４０に少量の燃料が残っていた場合や、長年使用して気化室４０にタールが溜まっている場合には、予熱開始時にその燃料成分が気化して、ノズル４２より漏出して、気化部３７周辺にタール化して付着したり、臭気を発生して使用者に不快感を与える問題があった。
【０００６】
またそのために、予熱待機待ち時に、電磁ソレノイド４７に通電してノズル４２を閉塞しようとすると、電磁ソレノイド４７のコイル温度上昇や消費電力の問題があり、また電磁ソレノイド４７の通電停止時にノズル４２を閉塞するように電磁ソレノイド４７の通電の動きを逆転させると、燃焼時にノズル４２を開放するために電磁ソレノイド４７に通電しなくてはならず、燃焼時の電磁ソレノイド４７のコイル温度上昇や消費電力の問題があった。
【０００７】
本発明は上記課題に鑑み、運転停止時に気化部の周辺のタール化や臭気の発生を防止し、長期にわたって使用者が快適に使用ができるようにすることを目的としたものである。
【０００８】
【課題を解決するための手段】
本発明は上記課題を解決するために、燃料を貯蔵するタンクと、前記タンクから燃料を吸引吐出するポンプと、前記ポンプによって供給される燃料を気化させる気化部と、前記気化部を加熱するヒータと、前記気化部の温度を検出する気化部温度検出手段と、気化ガスを噴出するノズルと、前記ノズルを通電時に閉塞し通電停止時に開放するとともに燃焼中及び燃焼停止中に通電停止状態とする電磁ソレノイドと、前記気化ガスを燃焼させるバーナ部と、前記バーナ部で生じた燃焼排ガスを導く燃焼筒と、前記燃焼筒を覆い前記燃焼ガスと送風機からの空気流とを混合し温風とするダクトと、操作部からの信号で前記ポンプや前記電磁ソレノイドを制御して燃焼を制御する制御部と、前記操作部に配設し非燃焼時に気化部温度を所定の温度に保持するための動作信号を入力する予熱待機待ち入力手段とを備え、前記制御部は予熱待機待ち入力手段より信号が入力されたときに作動する第１タイマー手段を有するとともに、燃焼停止中のノズル開放状態において前記予熱待機待ち入力手段より信号が入力されたときは、前記第１タイマー手段を介して前記電磁ソレノイドに所定時間通電してノズルを閉塞するとともに前記気化部温度を燃焼時の温度より低い温度に設定した予熱待機待ち温度になるようにヒータを通電制御して予熱を開始し、前記第１タイマー手段の設定時間が経過すると前記電磁ソレノイドの通電を停止して前記ノズルを開放状態として予熱動作を継続するように構成している。
【０００９】
前記発明によれば、燃焼停止中のノズル開放状態にあっても、予熱待機待ち入力手段より信号が入力されると第１タイマー手段で定まる時間、電磁ソレノイドを通電状態としてノズルを閉塞状態とし、気化部内に残留する燃料ガスを漏出しないようにしていて、ノズルを閉塞してから気化部温度検出手段が予熱待機待ちの所定温度になるようにヒータを通電制御して予熱を開始し、気化部内の残留する燃料ガスが無くなってから、ノズルを開放するようにしている。これにより、予熱待機待ち開始時に第１タイマー手段で定まる時間のみ電磁ソレノイドに通電をすればよくなり、電磁ソレノイドの通電時間が短くできるようになる。
【００１０】
このように、予熱待機待ち時に電磁ソレノイドを第１所定時間の通電とすることで、電磁ソレノイドのコイル温度上昇を抑制して、ノズルからの燃焼ガスの漏出を防止でき、運転停止時に気化部の周辺のタール化や臭気の発生を防止し、長期にわたって使用者が快適に使用できるようになる。
【００１１】
【発明の実施の形態】
本発明は各請求項に記載の形態とすることにより実施できるものである。すなわち請求項１に記載の発明は、燃料を貯蔵するタンクと、前記タンクから燃料を吸引吐出するポンプと、前記ポンプによって供給される燃料を気化させる気化部と、前記気化部を加熱するヒータと、前記気化部の温度を検出する気化部温度検出手段と、気化ガスを噴出するノズルと、前記ノズルを通電時に閉塞し通電停止時に開放するとともに燃焼中及び燃焼停止中に通電停止状態とする電磁ソレノイドと、前記気化ガスを燃焼させるバーナ部と、前記バーナ部で生じた燃焼排ガスを導く燃焼筒と、前記燃焼筒を覆い前記燃焼ガスと送風機からの空気流とを混合し温風とするダクトと、操作部からの信号で前記ポンプや前記電磁ソレノイドを制御して燃焼を制御する制御部と、前記操作部に配設し非燃焼時に気化部温度を所定の温度に保持するための動作信号を入力する予熱待機待ち入力手段とを備え、前記制御部は予熱待機待ち入力手段より信号が入力されたときに作動する第１タイマー手段を有するとともに、燃焼停止中のノズル開放状態において前記予熱待機待ち入力手段より信号が入力されたときは、前記第１タイマー手段を介して前記電磁ソレノイドに所定時間通電してノズルを閉塞するとともに前記気化部温度を燃焼時の温度より低い温度に設定した予熱待機待ち温度になるようにヒータを通電制御して予熱を開始し、前記第１タイマー手段の設定時間が経過すると前記電磁ソレノイドの通電を停止して前記ノズルを開放状態として予熱動作を継続するように構成している。
【００１２】
そして、燃焼停止中のノズル開放状態にあっても、予熱待機待ち入力手段より信号が入力されると第１タイマー手段で定まる時間、電磁ソレノイドを通電状態としてノズルを閉塞状態とし、気化部内に残留する燃料ガスを漏出しないようにしていて、ノズルを閉塞してから気化部温度検出手段が予熱待機待ちの所定温度になるようにヒータを通電制御して予熱を開始し、気化部内の残留する燃料ガスが無くなってから、ノズルを開放するようにしている。これにより、予熱待機待ち開始時に第１タイマー手段で定まる時間のみ電磁ソレノイドに通電をすれば気化部に残留した燃料ガスの漏出は防止でき、電磁ソレノイドの通電時間が短くできるようになる。
【００１３】
このように、予熱待機待ち時に電磁ソレノイドを第１所定時間のみ通電をすることで、電磁ソレノイドのコイル温度上昇を抑制して、ノズルからの燃焼ガスの漏出を防止でき、予熱待機待ち時に気化部の周辺のタール化や臭気の発生を防止し、長期にわたって使用者が快適に使用できるようになる。
【００１４】
また、請求項２に記載の発明は、制御部は予熱待機待ち入力手段より信号が入力されたときに作動する第１タイマー手段と第２タイマー手段を有し、かつ気化部の温度を制御するための第１所定温度と第２所定温度を有し、燃焼停止中のノズル開放状態において前記予熱待機待ち入力手段より信号が入力されたときは、前記第１タイマー手段を介して電磁ソレノイドに所定時間通電してノズルを閉塞するとともに、前記第２タイマー手段を介して前記気化部温度を第２所定温度になるようにヒータを通電制御して予熱を開始し、前記第２タイマー手段で設定された所定時間経過後、第１所定温度になるようにヒータを通電制御するとともに、前記第１タイマー手段の設定時間が経過すると前記電磁ソレノイドの通電を停止して前記ノズルを開放状態として予熱動作を継続するように構成している。
【００１５】
そして、予熱待機待ち開始時に第１タイマー手段で定まる時間、電磁ソレノイドを通電状態としてノズルを閉塞状態とし気化部内の燃料はタンク側にリターンし、気化部内に残留する燃料ガスを漏出しないようにし第２タイマー手段で定まる時間、気化部の温度を第１所定温度より高い第２所定温度になるようにヒータを通電制御して予熱を開始し、気化部温度を高温にすることで気化部内に残留する燃料ガスが早く無くなるようにしてその後、気化部温度を燃焼時の温度より低い予熱待機待ちの第１所定温度になるようにヒータを通電制御し、気化部内に残留する燃料ガスが無くなってから、ノズルを開放するようにして、同様の効果を得るようにしている。またこれにより、気化部内に残留する燃料が早く気化して無くなるので、電磁ソレノイドを通電して、ノズルを閉塞している第１所定時間を短くすることができ、電磁ソレノイドのコイル温度上昇を低減することができるようになる。
【００１６】
また、請求項３に記載の発明は第２所定温度は、燃焼時の温度より高い温度に設定して構成している。
【００１７】
そして、同様の効果を得た上に、気化部の温度を燃焼時の温度より高い第２所定温度まで上げることで、気化部内にタール化した燃料があっても、気化してタンク側にリターンして無くなり、タールに対する寿命が延びるようになる。
【００１８】
また、請求項４に記載の発明は、燃料を貯蔵するタンクと、前記タンクから燃料を吸引吐出するポンプと、前記ポンプによって供給される燃料を気化させる気化部と、前記気化部を加熱するヒータと、前記気化部の温度を検出する気化部温度検出手段と、気化ガスを噴出するノズルと、前記ノズルを通電時に閉塞し通電停止時に開放するとともに燃焼中及び燃焼停止中に通電停止状態とする電磁ソレノイドと、前記気化ガスを燃焼させるバーナ部と、前記バーナ部で生じた燃焼排ガスを導く燃焼筒と、前記燃焼筒を覆い前記燃焼ガスと送風機からの空気流とを混合し温風とするダクトと、操作部からの信号で前記ポンプや前記電磁ソレノイドを制御して燃焼を制御する制御部と、前記操作部に配設し非燃焼時に気化部温度を所定の温度に保持するための動作信号を入力する予熱待機待ち入力手段とを備え、前記制御部は予熱待機待ち入力手段より信号が入力されたときに作動する第１タイマー手段と第３タイマー手段を有し、燃焼停止中のノズル開放状態において前記予熱待機待ち入力手段より信号が入力されたときは、前記第１タイマー手段を介して電磁ソレノイドに所定時間通電してノズルを閉塞し、前記第３タイマー手段を介して送風機に所定時間通電して送風するとともに、前記気化部温度を燃焼時の温度より低い温度に設定した予熱待機待ち温度になるようにヒータを通電制御して予熱を開始し、前記第１タイマー手段の設定時間が経過すると前記電磁ソレノイドの通電を停止して前記ノズルを開放状態として予熱動作を継続するように構成している。
【００１９】
そして、燃焼停止中のノズル開放状態にあっても、予熱待機待ち入力手段より信号が入力されると第１タイマー手段で定まる時間、電磁ソレノイドに通電してノズルを閉塞状態とし、同時に送風機の送風を開始し、気化部内の燃料をタンク側にリターンして気化部内に残留する燃料ガスを漏出しないようにする。また、気化部温度は前記ノズルを閉塞してから温度検出手段が燃焼時の温度より低い予熱待機待ちの所定温度になるようにヒータを通電制御して予熱を開始し、気化部内に残留する燃料ガスが無くなってから、ノズルを開放するようにするが、その後も第２所定時間は送風を継続するようにしているため、これによってバーナ部の雰囲気の圧力を上昇させ、ノズルの開口部に外圧をかけるようにして気化部の燃料ガスを漏出しないようするので、何らかの理由で電磁ソレノイドの通電によるノズルの閉塞が不充分であったとしても、ノズルからの燃焼ガスの漏出を防止でき、予熱待機待ち開始時に気化部周辺のタール化や臭気の発生を防止し、長期にわたって使用者が快適に使用できるようになる。
【００２０】
【実施例】
以下本発明の具体的な実施例について図面に基づいて説明する。
【００２１】
（実施例１）
図１は、本発明の実施例１における温風暖房機の制御ブロック図、図２は同温風暖房機の要部断面図である。図１、図２において、１は本体ケースで、その下方側部に液体燃料を保有するタンク２とそのタンク２の上部に着脱自在なカートリッジタンク３が配設してある。４はタンク２の上面に取付けたポンプで、その上端から送油パイプ５を介して気化部６に燃料を供給するようになっている。
【００２２】
図３は、本発明の実施例１における温風暖房機の燃焼部の要部断面図である。図３において、気化部６には、供給された燃料を気化させる気化室７に燃料の気化を促進させる気化素子８が配設され、気化部６の中央には混合管９が突出していて混合管９を取り囲むように環状のドーナツ形状に構成してあり、そしてその周壁にヒータ１０と気化部温度検出手段１１が配設してある。１２は、気化部６の送油パイプ５の入り口に対し混合管９とは反対側にノズル部１３へ連ねて配設した連通路である。１０ａは予熱待機待ち開始時に作動する第２タイマー手段で気化部６を所定時間の所定温度状態に保持する。
【００２３】
前記ノズル部１３にはタンク２に連通させた戻りパイプ１４と電磁ソレノイド１５が接続してあり、そして前記電磁ソレノイド１５にはノズル部１３のノズル１３ａの開閉を行うニードル弁１６が設けてある。１５ａは予熱待機待ち開始時に作動する第１タイマー手段で所定時間電磁ソレノイド１５を通電状態に保持する。１７は、混合管９の出口を覆うように気化部６の上部に載置したバーナ部で、近傍に、バーナ部１７の周壁に形成した炎孔１８より噴出する気化ガスに燃焼を開始させる高圧放電などの着火手段１９が設けてある。２０はバーナ部１７からの燃焼排ガスを上方へ導く燃焼筒で、その背部に室内空気流を取入れ送出する送風機２１が配設してある。２１ａは予熱待機待ち開始時に作動する第３タイマー手段で所定時間送風機２１の送風動作を継続する。２２は前記燃焼筒２０からの燃焼排ガスと室内空気流とを混合して温風にするダクトである。
【００２４】
また、２３は、操作部２４から入力される制御温度などの運転条件の信号や、機器に配設した気化部温度検出手段１１などのセンサーの信号に基づいて、ポンプ４やヒータ１０、電磁ソレノイド１５そして送風機２１などを予め決められたシーケンスで制御して、燃焼を開始させたり停止させたりする機器の運転を制御する制御部である。
【００２５】
前記構成において、気化部６はヒータ１０によって第１の所定温度まで加熱され、送油パイプ５の入り口から入った油を気化室７の気化素子８で気化される。気化されたガスは気化部６の下部にある連通路１２を通って下方に流れノズル部１３に達し、電磁ソレノイド１５を作動させてニードル弁１６を開放してノズル１３ａより気化ガスを噴出させると、気化ガスは周囲の空気を吸引混合しながら混合管９を介してバーナ部１７内に供給され、炎孔１８の部分より噴出するようになる。ここで着火手段１９を構じると、多数の炎孔１８に均一な火炎を形成して燃焼を開始し、着火手段１９を停止してもこのままポンプ４で気化部６に燃料を供給し続けると燃焼を継続するようになる。
【００２６】
生じた燃焼排ガスは、バーナ部１７の周囲を覆うように配設された燃焼筒２０で上方へ導かれ、前記燃焼筒２０を覆ったダクト２２で送風機２１からの室内空気流と混合され、温風として排出されて暖房に利用される。そして、この温風暖房機は制御部２３が操作部２４から入力される運転条件信号などに基づいて、ポンプ４の駆動周波数や印加電圧を変化させて燃料供給量を調節すると、一次空気量もそれにつれて増減し、燃料と空気の比が一定に保たれたまま燃焼量を変えることができるようになっている。
【００２７】
図４は、本発明の実施例１における温風暖房機の予熱待機待ち開始時のシーケンスを示すフローチャートである。まず、予熱待機待ち開始信号を操作部２４から入力されると、図４のフローチャートに示すように、第１タイマー手段１５ａが作動し電磁ソレノイド１５は通電状態となってニードル弁１６でノズル１３ａを閉塞し、気化部６内の燃料は戻りパイプ１４を介してタンク２内に戻され、ステップ２５の第１タイマー手段１５ａの設定時間が経過したときに電磁ソレノイド１５の通電を停止して、ノズル１３ａを開放するようにニードル弁１６を動作させている。また第１タイマー手段１５ａの作動と同時に、気化部６の温度が燃焼時の温度より低い予熱待機待ちの所定温度になるように気化部温度検出手段１１の温度をフィードバック制御してヒータ１０に通電して予熱を開始するようになっている。
【００２８】
ここで、予熱待機待ち開始時から所定時間、電磁ソレノイド１５を通電状態としてノズル１３ａを閉塞状態としあるので、気化部６内の燃料はタンク２側にリターンし、気化部６内に残留する燃料ガスを漏出しないようになり、そして気化部温度検出手段１１が燃焼時の温度より低い予熱待機待ちの所定温度になるようにヒータ１０を通電制御して予熱を開始する。つまり、燃料ガスが漏出しないようにまずノズル１３ａを閉塞し、そして気化部６内に残留する燃料ガスが無くなってからノズル１３ａを開放して、燃料ガスの漏出を防止して予熱を開始するので、予熱待機待ち開始時に第１タイマー手段１５ａで定まる時間のみ電磁ソレノイド１５を通電すれば気化部６に残留した燃料ガスの漏出は防止でき、電磁ソレノイド１５の通電時間が短くできるようになる。
【００２９】
したがって、予熱待機待ち時に電磁ソレノイド１５を第１タイマー手段１５ａで設定された所定時間の通電をすることで、電磁ソレノイド１５のコイル温度上昇を抑制して、ノズル１３ａからの燃焼ガスの漏出を防止でき、予熱待機待ち時に気化部６の周辺のタール化や臭気の発生を防止し、長期にわたって使用者が快適に使用できるようになる。
【００３０】
（実施例２）
図５は、本発明の実施例２における温風暖房機の燃焼停止時のシーケンスを示すフローチャートである。まず、予熱待機待ち開始信号を操作部２４から入力されると、図５のフローチャートに示すように、第１タイマー手段１５ａが作動し電磁ソレノイド１５は通電状態となってニードル弁１６でノズル１３ａを閉塞し、気化部６内の燃料は戻りパイプ１４を介してタンク２内に戻され、ステップ２６の第１タイマー手段１５ａの設定時間が経過したときに例えば２分間後に電磁ソレノイド１５の通電を停止して、ノズル１３ａを開放するようにニードル弁１６を動作させている。また第１タイマー手段１５ａの作動と同時に、気化部６が燃焼時の温度より高い第２所定温度になるように気化部温度検出手段１１の温度をフィードバック制御しヒータ１０を通電して昇温し、ステップ２７の第２タイマー手段１０ａの設定した時間が経過した時、気化部６が燃焼時の温度より低い予熱待機待ちの第１所定温度になるように気化部温度検出手段１１の温度をフィードバック制御してヒータ１０を通電して、予熱を開始するようになっている。
【００３１】
ここで、予熱待機待ち開始時に第１タイマー手段１５ａで定まる時間、電磁ソレノイド１５を通電状態としてノズル１３ａを閉塞状態とし気化部６内の燃料はタンク２側にリターンし、気化部６内に残留する燃料ガスを漏出しないようにしていて、ノズル１３ａを閉塞してから気化部６の温度が燃焼時の温度より高い第２所定温度になるようにヒータ１０を第２タイマー手段１０ａで定まる時間通電制御して予熱を開始し、気化部６内に残留する燃料ガスが早く無くなるようにしてからその後、気化部６が燃焼時の温度より低い予熱待機待ちの第１所定温度になるようにヒータ１０を通電制御し、気化部６内に残留する燃料ガスが無くなってから、ノズル１３ａを開放するようにして、同様の効果を得るようにしている。またこれにより、気化部６内に残留する燃料が早く気化して無くなるので、電磁ソレノイド１５を通電して、ノズル１３ａを閉塞している電磁ソレノイド１５の通電時間をさらに短くすることができ、電磁ソレノイド１５のコイル温度上昇を低減することができるようになる。また、気化部６の温度を燃焼時の温度より高い第２所定温度まで上げることで、気化部６内にタール化した燃料があっても、気化してタンク２側にリターンして無くなり、タールに対する寿命が延びるようになる。
【００３２】
（実施例３）
図６は、本発明の実施例３における温風暖房機の予熱待機待ち開始時のシーケンスを示すフローチャートである。まず、予熱待機待ち開始信号を操作部２４から入力されると、図６のフローチャートに示すように、第１タイマー手段１５ａと第３タイマー手段２１ａが作動し電磁ソレノイド１５と送風機２１は通電状態となって、ニードル弁１６でノズル部１３のノズル１３ａを閉塞するとともに送風は開始され、気化部６内の燃料は戻りパイプ１４を介してタンク２内に戻される。そして、ステップ２８の第１タイマー手段１５ａの設定時間が経過したときに電磁ソレノイド１５の通電を停止して、ノズル１３ａを開放するようにニードル弁１６を動作させ停止する。その後遅れてステップ２９の第３タイマー手段２１ａの設定時間が経過したときに、送風機２１の通電を停止して送風を停止する。また第１タイマー手段１５ａの作動と同時に、気化部６が燃焼時の温度より低い予熱待機待ちの所定温度になるように気化部温度検出手段１１の温度をフィードバック制御しヒータ１０を通電して予熱を開始するようになっている。
【００３３】
ここで、予熱待機待ち開始時に第１タイマー手段１５ａで定まる時間、電磁ソレノイド１５と送風機２１を通電状態として、ノズル１３ａを閉塞状態とするとともに送風を開始し、気化部６内の燃料はタンク２側にリターンし、気化部６内に残留する燃料ガスを漏出しないようにしていて、ノズル１３ａを閉塞してから気化部６の温度が燃焼時の温度より低い予熱待機待ちの所定温度になるようにヒータ１０を通電制御して予熱を開始し、気化部内に残留する燃料ガスが無くなってから、ノズル１３ａを開放するようにして同様の効果を得るようにしている。また送風することにより、送風機２１によってバーナ部１７の雰囲気の圧力を上昇させ、ノズル部１３の開口部に外圧をかけるようにして気化部６の燃料ガスを漏出しないようするので、何らかの理由で電磁ソレノイド１５の通電によるノズル１３ａの閉塞が不充分であったとしても、ノズル１３ａからの燃焼ガスの漏出を防止でき、予熱待機待ち開始時に気化部６の周辺のタール化や臭気の発生を防止し、長期にわたって使用者が快適に使用できるようになる。
【００３４】
【発明の効果】
以上のように請求項１の発明によれば、予熱待機待ち開始時から所定時間、電磁ソレノイドを通電状態としてノズルを閉塞状態とするので、気化部内の燃料はタンク側にリターンし、気化部内に残留する燃料ガスを漏出しないようになり、そして気化部温度検出手段が燃焼時の温度より低い予熱待機待ちの所定温度になるようにヒータを通電制御して予熱を開始する。つまり、燃料ガスが漏出しないようにまずノズルを閉塞し、そして気化部内に残留する燃料ガスが無くなってからノズルを開放して、燃料ガスの漏出を防止して予熱を開始するので、予熱待機待ち開始時に第１タイマー手段で定まる時間のみ電磁ソレノイドを通電すれば気化部に残留した燃料ガスの漏出は防止でき、電磁ソレノイドの通電時間が短くできるようになる。
【００３５】
このように、予熱待機待ち時に電磁ソレノイドを第１所定時間の通電をすることで、電磁ソレノイドのコイル温度上昇を抑制して、ノズルからの燃焼ガスの漏出を防止でき、予熱待機待ち時に気化部周辺のタール化や臭気の発生を防止し、長期にわたって使用者が快適に使用できるようになる。
【００３６】
また、請求項２の発明によれば、予熱待機待ち開始時に第１タイマー手段で定まる時間、電磁ソレノイドを通電状態としてノズルを閉塞状態とし気化部内の燃料はタンク側にリターンし、気化部内に残留する燃料ガスを漏出しないようにしていて、ノズルを閉塞してから気化部温度検出手段が燃焼時の温度より高い第２所定温度になるようにヒータを第２タイマー手段で定まる時間通電制御して予熱を開始し、気化部内に残留する燃料ガスが早く無くなるようにしてからその後、気化部温度検出手段が燃焼時の温度より低い予熱待機待ちの第１所定温度になるようにヒータを通電制御し、気化部内に残留する燃料ガスがなくなってから、ノズルを開放するようにして、同様の効果を得るようにしている。またこれにより、気化部内に残留する燃料が早く気化して無くなるので、電磁ソレノイドを通電して、ノズルを閉塞している第１所定時間を短くすることができ、電磁ソレノイドのコイル温度上昇を低減できるようになる。
【００３７】
また、請求項３の発明によれば、予熱待機待ち開始時に気化部の温度を燃焼時の温度より高い第２所定温度まで上げることで、気化部内にタール化した燃料があっても、気化してタンク側にリターンして無くなり、タールに対する寿命が延びるようになる。
【００３８】
また、請求項４の発明によれば、予熱待機待ち開始時に第１タイマー手段で定まる時間、電磁ソレノイドと送風機を通電状態として、ノズルを閉塞状態とするとともに送風を開始し、気化部内の燃料はタンク側にリターンし、気化部内に残留する燃料ガスを漏出しないようにしていて、ノズルを閉塞してから気化部温度検出手段が燃焼時の温度より低い予熱待機待ちの所定温度になるようにヒータを通電制御して予熱を開始し、気化部内に残留する燃料ガスが無くなってから、ノズルを開放するようにして同様の効果を得るようにしている。またこれにより、送風機によってバーナ部の雰囲気の圧力を上昇させ、ノズル開口部に外圧をかけるようにして気化部の燃料ガスを漏出しないようするので、何らかの理由で電磁ソレノイドの通電によるノズルの閉塞が不充分であったとしても、ノズルからの燃焼ガスの漏出を防止でき、予熱待機待ち開始時に気化部周辺のタール化や臭気の発生を防止し、長期にわたって使用者が快適に使用できるようになる。
【図面の簡単な説明】
【図１】本発明の実施例１における燃焼装置の制御ブロック図
【図２】同燃焼装置の要部断面図
【図３】同燃焼装置の燃焼部の要部断面図
【図４】同燃焼装置の予熱待機待ち開始時のフローチャート
【図５】本発明の実施例２における燃焼装置の予熱待機待ち開始時のフローチャート
【図６】本発明の実施例３における燃焼装置の予熱待機待ち開始時のフローチャート
【図７】従来の燃焼装置の要部断面図
【図８】従来の燃焼装置の燃焼部の要部断面図
【符号の説明】
２  タンク
４  ポンプ
６  気化部
１０  ヒータ
１０ａ  第２タイマー手段
１１  気化部温度検出手段
１３  ノズル部
１３ａ  ノズル
１４  戻りパイプ
１５  電磁ソレノイド
１５ａ  第１タイマー手段
１６  ニードル弁
１７  バーナ部
２０  燃焼筒
２１  送風機
２１ａ  第３タイマー手段
２２  ダクト
２３  制御部
２４  操作部
【図１】
0003855399.tif 000002
【図２】
0003855399.tif 000003
【図３】
0003855399.tif 000004
【図４】
0003855399.tif 000005
【図５】
0003855399.tif 000006
【図６】
0003855399.tif 000007
【図７】
0003855399.tif 000008
【図８】
0003855399.tif 000009